【手続補正書】
【提出日】平成18年1月11日(2006.1.11)
【手続補正１】
【補正対象書類名】明細書
【補正対象項目名】発明の名称
【補正方法】変更
【補正の内容】
【発明の名称】インクジェット記録装置及び画像形成装置、プリンタドライバ
【手続補正２】
【補正対象書類名】明細書
【補正対象項目名】特許請求の範囲
【補正方法】変更
【補正の内容】
【特許請求の範囲】
【請求項１】
両面印刷可能なインクジェット記録装置において、片面印刷と両面印刷とで単位領域当たりの最大ドット数が異なることを特徴とするインクジェット記録装置。
【請求項２】
請求項１に記載のインクジェット記録装置において、両面印刷の単位領域当たりの最大ドット数が片面印刷の単位領域当たりの最大ドット数より低いことを特徴とするインクジェット記録装置。
【請求項３】
両面印刷可能なインクジェット記録装置において、印刷モードに応じて、片面印刷と両面印刷とで単位領域当たりの最大ドット数が異なることを特徴とするインクジェット記録装置。
【請求項４】
両面印刷可能なインクジェット記録装置において、印刷モードに応じて、片面印刷と両面印刷とで単位領域当たりの最大ドット数を異ならせるか同じにすることを特徴とするインクジェット記録装置。
【請求項５】
請求項３又は４に記載のインクジェット記録装置において、印刷モードが印刷速度を画質よりも優先する速度優先モードと画質を印刷速度よりも優先する画質優先モードを含むことを特徴とするインクジェット記録装置。
【請求項６】
請求項１乃至５のいずれかに記載のインクジェット記録装置において、両面印刷のときの表面印刷後の裏面印刷の単位領域当たりの最大ドット数と片面印刷の単位領域当たりの最大ドット数とが同じであることを特徴とするインクジェット記録装置。
【請求項７】
両面印刷可能なインクジェット記録装置において、片面印刷と両面印刷とで最大ドット密度が異なることを特徴とするインクジェット記録装置。
【請求項８】
請求項６に記載のインクジェット記録装置において、両面印刷の最大ドット密度が片面印刷の最大ドット密度より低いことを特徴とするインクジェット記録装置。
【請求項９】
両面印刷可能なインクジェット記録装置において、印刷モードに応じて、片面印刷と両面印刷とで最大ドット密度が異なることを特徴とするインクジェット記録装置。
【請求項１０】
両面印刷可能なインクジェット記録装置において、印刷モードに応じて、片面印刷と両面印刷とで最大ドット密度を異ならせるか同じにすることを特徴とするインクジェット記録装置。
【請求項１１】
請求項９又は１０に記載のインクジェット記録装置において、印刷モードが印刷速度を画質よりも優先する速度優先モードと画質を印刷速度よりも優先する画質優先モードを含むことを特徴とするインクジェット記録装置。
【請求項１２】
請求項７乃至１１のいずれかに記載のインクジェット記録装置において、両面印刷のときの表面印刷後の裏面印刷の最大ドット密度と片面印刷の最大ドット密度とが同じであることを特徴とするインクジェット記録装置。
【請求項１３】
両面印刷が可能なインクジェット記録装置又は画像形成装置を駆動制御するためのプリンタドライバであって、両面印刷と片面印刷で単位面積当たりの最大ドット数を異ならせる手段を有することを特徴とするプリンタドライバ。
【請求項１４】
両面印刷が可能なインクジェット記録装置又は画像形成装置を駆動制御するためのプリンタドライバであって、両面印刷と片面印刷で最大ドット密度を異ならせる手段を有することを特徴とするプリンタドライバ。
【請求項１５】
両面印刷可能な画像形成装置において、片面印刷と両面印刷とで単位領域当たりの最大ドット数、又は、最大ドット密度が異なることを特徴とする画像形成装置。
【請求項１６】
両面印刷可能な画像形成装置において、印刷モードに応じて、片面印刷と両面印刷とで単位領域当たりの最大ドット数又は最大ドット密度が異なることを特徴とする画像形成装置。
【請求項１７】
両面印刷可能な画像形成装置において、印刷モードに応じて、片面印刷と両面印刷とで単位領域当たりの最大ドット数又は最大ドット密度を異ならせるか同じにすることを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及び画像形成装置、特に両面印刷（両面記録）が可能なインクジェット記録装置及び画像形成装置、プリンタドライバに関する。
【手続補正４】
【補正対象書類名】明細書
【補正対象項目名】０００６
【補正方法】変更
【補正の内容】
【０００６】
本発明は上記の点に鑑みてなされたものであり、両面印刷における裏写り、カール、コックリングが少なく、高い画像品質を得ることができるインクジェット記録装置及び画像形成装置を提供し、また、インクジェット記録装置又は画像形成装置に対して裏写り、カール、コックリングがなく高い画像品質で両面印刷を行わせることができるプリンタドライバを提供することを目的とする。
【手続補正５】
【補正対象書類名】明細書
【補正対象項目名】００１５
【補正方法】変更
【補正の内容】
【００１５】
本発明に係るプリンタドライバは、両面印刷が可能なインクジェット記録装置又は画像形成装置を駆動制御するためのプリンタドライバであって、両面印刷と片面印刷で単位面積当たりの最大ドット数を異ならせる手段を有する構成としたものである。
【手続補正６】
【補正対象書類名】明細書
【補正対象項目名】００１６
【補正方法】変更
【補正の内容】
【００１６】
本発明に係るプリンタドライバは、両面印刷が可能なインクジェット記録装置又は画像形成装置を駆動制御するためのプリンタドライバであって、両面印刷と片面印刷で最大ドット密度を異ならせる手段を有する構成としたものである。
本発明に係る画像形成装置は、片面印刷と両面印刷とで単位領域当たりの最大ドット数、又は、最大ドット密度が異なる構成、あるいは、印刷モードに応じて、片面印刷と両面印刷とで単位領域当たりの最大ドット数又は最大ドット密度が異なる構成、若しくは、印刷モードに応じて、片面印刷と両面印刷とで単位領域当たりの最大ドット数又は最大ドット密度を異ならせる構成としたものである。
【手続補正７】
【補正対象書類名】明細書
【補正対象項目名】００１７
【補正方法】変更
【補正の内容】
【００１７】
【発明の実施の形態】
以下、本発明の実施の形態を添付図面を参照して説明する。図１は本発明に係る画像形成装置としてのインクジェット記録装置の一例を示す斜視図、図２は同記録装置を機構部の側面説明図である。
【手続補正８】
【補正対象書類名】明細書
【補正対象項目名】００８９
【補正方法】変更
【補正の内容】
【００８９】
本発明に係るプリンタドライバによれば、両面印刷と片面印刷で単位面積当たりの最大ドット数を異ならせる手段を有する構成としたので、両面印刷が可能なインクジェット記録装置又は画像形成装置における両面印刷の画質を向上することができる。
【手続補正９】
【補正対象書類名】明細書
【補正対象項目名】００９０
【補正方法】変更
【補正の内容】
【００９０】
本発明に係るプリンタドライバによれば、両面印刷と片面印刷で最大ドット密度を異ならせる手段を有する構成としたので、両面印刷が可能なインクジェット記録装置又は画像形成装置における両面印刷の画質を向上することができる。
本発明に係る画像形成装置によれば、片面印刷と両面印刷とで単位領域当たりの最大ドット数、又は、最大ドット密度が異なる構成、あるいは、印刷モードに応じて、片面印刷と両面印刷とで単位領域当たりの最大ドット数又は最大ドット密度が異なる構成、若しくは、印刷モードに応じて、片面印刷と両面印刷とで単位領域当たりの最大ドット数又は最大ドット密度を異ならせる構成としたので、滲み、カール、コックリングのない高画質画像を印刷できる。